(57)【特許請求の範囲】
【請求項１】
硬貨を収納する１つ以上のコインチューブを有し、前記硬貨の収納および払出しをする硬貨処理装置に着脱可能なカセットチューブと、
前記カセットチューブに前記硬貨の板厚方向の位置を可変に取り付けられる押圧部材と、
を備え、
前記カセットチューブには、前記コインチューブごとに形成された開孔部、および前記開孔部に対応する位置に形成された係合溝が設けられ、
前記押圧部材は、
前記係合溝に係合して、前記押圧部材を前記カセットチューブに取り付ける係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、
前記押圧部材が前記カセットチューブに取り付けられた状態で前記押圧部を前記コインチューブの内径より外側に退出させるように付勢する弾性部と、
を有し、
前記開孔部は、前記コインチューブごとに前記硬貨の板厚方向に複数形成され、
前記係合溝は、前記開孔部の前記硬貨の板厚方向の位置に対応して複数形成され、
前記押圧部材は、前記係合部が前記係合溝のそれぞれに着脱可能に係合して、前記カセットチューブに取り付けられ、
前記弾性部は、前記押圧部材が前記カセットチューブに取り付けられた状態で先端が前記カセットチューブに当接するように、前記押圧部材の本体から前記硬貨の板厚方向の両側に延びる弓形に形成され、前記押圧部材が前記カセットチューブから離れる方向に付勢する
ことを特徴とする硬貨収納装置。
【請求項２】
硬貨を収納する１つ以上のコインチューブを有し、前記硬貨の収納および払出しをする硬貨処理装置に着脱可能なカセットチューブと、
前記カセットチューブに前記硬貨の板厚方向の位置を可変に取り付けられる押圧部材と、
を備え、
前記カセットチューブには、前記コインチューブごとに形成された開孔部、および前記開孔部に対応する位置に形成された係合溝が設けられ、
前記押圧部材は、
前記係合溝に係合して、前記押圧部材を前記カセットチューブに取り付ける係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、
前記押圧部材が前記カセットチューブに取り付けられた状態で前記押圧部を前記コインチューブの内径より外側に退出させるように付勢する弾性部と、
を有し、
前記開孔部は、前記コインチューブごとに前記硬貨の板厚方向にスリット状に形成され、
前記係合溝は、前記開孔部と平行に形成され、
前記押圧部材は、前記係合部が前記係合溝に係合して、前記係合溝に沿ってスライド可能に前記カセットチューブに取り付けられる
ことを特徴とする硬貨収納装置。
【請求項３】
前記弾性部は、先端に前記押圧部が形成され、前記押圧部材が前記カセットチューブに取り付けられた状態で荷重が加えられると、前記押圧部材の本体とは独立して動作して、前記開孔部を介して前記押圧部を前記コインチューブの内径より内側に進入させることを特徴とする請求項２に記載の硬貨収納装置。
【請求項４】
硬貨を収納する１つ以上のコインチューブを有し、前記コインチューブごとに前記硬貨の板厚方向に複数形成された開孔部、および前記開孔部の前記硬貨の板厚方向の位置に対応して複数形成された係合溝が設けられ、前記硬貨の収納および払出しをする硬貨処理装置に着脱可能なカセットチューブとともに用いられる押圧部材であって、
前記係合溝のそれぞれに着脱可能に係合して、前記押圧部材を前記カセットチューブに取り付ける係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、
前記押圧部材が前記カセットチューブに取り付けられた状態で前記押圧部を前記コインチューブの内径より外側に退出させるように付勢する弾性部と、
を有し、
前記弾性部は、前記押圧部材が前記カセットチューブに取り付けられた状態で先端が前記カセットチューブに当接するように、前記押圧部材の本体から前記硬貨の板厚方向の両側に延びる弓形に形成され、前記押圧部材が前記カセットチューブから離れる方向に付勢する
ことを特徴とする押圧部材。
【請求項５】
硬貨を収納する１つ以上のコインチューブを有し、前記コインチューブごとに前記硬貨の板厚方向にスリット状に形成された開孔部、および前記開孔部と平行に前記コインチューブごとに形成された係合溝が設けられ、前記硬貨の収納および払出しをする硬貨処理装置に着脱可能なカセットチューブとともに用いられる押圧部材であって、
前記係合溝にスライド可能に係合する係合部と、
前記係合部が前記係合溝に係合した状態で荷重が加えられると、前記開孔部を介して前記コインチューブの内径より内側に進入し、前記硬貨を前記コインチューブの内壁に押圧して保持する押圧部と、
前記係合部が前記係合溝に係合した状態で前記押圧部を前記コインチューブの内径より外側に退出させるように付勢する弾性部と、
を有することを特徴とする押圧部材。
【請求項６】
硬貨の収納および払出しをする硬貨処理装置であって、
筐体と、
前記硬貨を収納する１つ以上のコインチューブを有し、前記筐体に着脱可能なカセットチューブと、
前記カセットチューブに前記硬貨の板厚方向の位置を可変に取り付けられる押圧部材と、
を備え、
前記カセットチューブには、前記コインチューブごとに形成された開孔部、および前記開孔部に対応する位置に形成された係合溝が設けられ、
前記押圧部材は、
前記係合溝に係合して、前記押圧部材を前記カセットチューブに取り付ける係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、
前記押圧部材が前記カセットチューブに取り付けられた状態で前記押圧部を前記コインチューブの内径より外側に退出させるように付勢する弾性部と、
を有し、
前記開孔部は、前記コインチューブごとに前記硬貨の板厚方向に複数形成され、
前記係合溝は、前記開孔部の前記硬貨の板厚方向の位置に対応して複数形成され、
前記押圧部材は、前記係合部が前記係合溝のそれぞれに着脱可能に係合して、前記カセットチューブに取り付けられ、
前記弾性部は、前記押圧部材が前記カセットチューブに取り付けられた状態で先端が前記カセットチューブに当接するように、前記押圧部材の本体から前記硬貨の板厚方向の両側に延びる弓形に形成され、前記押圧部材が前記カセットチューブから離れる方向に付勢する
ことを特徴とする硬貨処理装置。
【請求項７】
硬貨の収納および払出しをする硬貨処理装置であって、
筐体と、
前記硬貨を収納する１つ以上のコインチューブを有し、前記筐体に着脱可能なカセットチューブと、
前記カセットチューブに前記硬貨の板厚方向の位置を可変に取り付けられる押圧部材と、
を備え、
前記カセットチューブには、前記コインチューブごとに形成された開孔部、および前記開孔部に対応する位置に形成された係合溝が設けられ、
前記押圧部材は、
前記係合溝に係合して、前記押圧部材を前記カセットチューブに取り付ける係合部と、
前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、
前記押圧部材が前記カセットチューブに取り付けられた状態で前記押圧部を前記コインチューブの内径より外側に退出させるように付勢する弾性部と、
を有し、
前記開孔部は、前記コインチューブごとに前記硬貨の板厚方向にスリット状に形成され、
前記係合溝は、前記開孔部と平行に形成され、
前記押圧部材は、前記係合部が前記係合溝に係合して、前記係合溝に沿ってスライド可能に前記カセットチューブに取り付けられる
ことを特徴とする硬貨処理装置。
【発明の詳細な説明】
【技術分野】
【０００１】
本発明は、硬貨収納装置、押圧部材、および硬貨処理装置に関する。
【背景技術】
【０００２】
自動販売機、両替機等では、投入された硬貨を識別し、収納もしくは返却する硬貨処理装置が使用されている。また、自動販売機には、販売した商品に対する釣銭の払出し機能を有した硬貨処理装置も使用されている。  
このような硬貨処理装置を備えた自動販売機等において、ルートマンが釣銭硬貨を回収・補充する際には、カセットチューブ（カセット式コインチューブ）内に保持される硬貨を所定枚数とする必要がある。例えば、特許文献１では、シリコンゴム等の弾性体を、側面に設けられた開孔を介してカセットチューブの内方に突出させ、硬貨を対向する内壁面に押圧して支持することによって、硬貨の回収をスピーディに行うことができる硬貨処理装置が開示されている。  
このようにして、開孔が設けられた位置に対応する所定枚数目の硬貨を弾性支持することによって、カセットチューブ内に所定枚数を残して、所定枚数を超える余剰硬貨を回収することができる。
【先行技術文献】
【特許文献】
【０００３】
【特許文献１】特許第３１９７６７５号公報
【発明の概要】
【発明が解決しようとする課題】
【０００４】
しかしながら、特許文献１の硬貨処理装置では、設計や製造の段階で、カセットチューブ内に残すべき硬貨の保持枚数を決定しておく必要がある。そして、予め、決定された保持枚数に対応する位置に開孔を設け、さらにその開孔に対応して弾性体を設けておく必要がある。  
したがって、ルートマンは、硬貨の保持枚数を、設計された開孔および弾性体の個数分の候補から選択する必要があり、それらの候補とは異なる新たな保持枚数の要求に対しては、開孔および弾性体の再設計が必要となるため、容易に対応することはできない。また、自動販売機等の用途・場所等により異なる保持枚数の要求をすべて満たすため、予め可能性があるすべての位置に開孔および弾性体を設けることは、製造コストの上昇を招くとともに、開孔および弾性体の個数が多くなると設計が困難である場合もある。
【課題を解決するための手段】
【０００５】
前述した課題を解決する主たる本発明は、硬貨を収納する１つ以上のコインチューブを有し、前記硬貨の収納および払出しをする硬貨処理装置に着脱可能なカセットチューブと、前記カセットチューブに前記硬貨の板厚方向の位置を可変に取り付けられる押圧部材と、を備え、前記カセットチューブには、前記コインチューブごとに形成された開孔部、および前記開孔部に対応する位置に形成された係合溝が設けられ、前記押圧部材は、前記係合溝に係合して、前記押圧部材を前記カセットチューブに取り付ける係合部と、前記押圧部材が前記カセットチューブに取り付けられた状態で前記押圧部材に荷重が加えられると、前記開孔部を介して前記コインチューブの内径より内側に進入し、前記硬貨を前記コインチューブの内壁に押圧して保持する押圧部と、前記押圧部材が前記カセットチューブに取り付けられた状態で前記押圧部を前記コインチューブの内径より外側に退出させるように付勢する弾性部と、を有し、前記開孔部は、前記コインチューブごとに前記硬貨の板厚方向に複数形成され、前記係合溝は、前記開孔部の前記硬貨の板厚方向の位置に対応して複数形成され、前記押圧部材は、前記係合部が前記係合溝のそれぞれに着脱可能に係合して、前記カセットチューブに取り付けられ、前記弾性部は、前記押圧部材が前記カセットチューブに取り付けられた状態で先端が前記カセットチューブに当接するように、前記押圧部材の本体から前記硬貨の板厚方向の両側に延びる弓形に形成され、前記押圧部材が前記カセットチューブから離れる方向に付勢することを特徴とする硬貨収納装置である。
【０００６】
本発明の他の特徴については、添付図面及び本明細書の記載により明らかとなる。
【発明の効果】
【０００７】
本発明によれば、自動販売機等の用途・場所等に応じて、カセットチューブ内の硬貨の保持枚数を容易に変更することができる。
【図面の簡単な説明】
【０００８】
【図１】硬貨処理装置の外観構成例を示す図である。
【図２】硬貨処理装置の内部構成例を示す図である。
【図３】カセットチューブの外観構成例を示す図である。
【図４】カセットチューブの内部構成例を示す図である。
【図５】本発明の第１実施形態における硬貨収納装置の構成を示す図である。
【図６】レバー５００の構成の詳細を示す斜視図である。
【図７】レバー５００を図６におけるｋ軸方向から見た図である。
【図８】レバー５００を図６におけるｉ軸方向から見た図である。
【図９】待機状態においてカセットチューブ２００をレバー５００の押圧部５０４の位置で切断した水平断面図である。
【図１０】動作状態においてカセットチューブ２００をレバー５００の押圧部５０４の位置で切断した水平断面図である。
【図１１】待機状態においてカセットチューブ２００をレバー５００の押圧部５０４の位置で切断した垂直断面図である。
【図１２】硬貨保持状態においてカセットチューブ２００をレバー５００の押圧部５０４の位置で切断した垂直断面図である。
【図１３】本発明の第２実施形態における硬貨収納装置の構成を示す図である。
【図１４】レバー６００の構成の詳細を示す斜視図である。
【図１５】待機状態においてカセットチューブ２００をレバー６００の押圧部６０４の位置で切断した水平断面図である。
【図１６】動作状態においてカセットチューブ２００をレバー６００の押圧部６０４の位置で切断した水平断面図である。
【図１７】硬貨保持状態においてカセットチューブ２００をレバー６００の押圧部６０４の位置で切断した水平断面図である。
【発明を実施するための形態】
【０００９】
本明細書および添付図面の記載により、少なくとも以下の事項が明らかとなる。
【００１０】
＝＝＝硬貨処理装置の概要＝＝＝
図１ないし図４を参照しつつ、硬貨処理装置（コインメック）１０００の概要について説明する。なお、図１は、硬貨処理装置１０００の外観構成例を示す斜視図である。図２は、硬貨処理装置１０００の内部構成例を示す図である。図３は、カセットチューブ２００の外観構成例を示す斜視図である。図４は、カセットチューブ２００の内部構成例を示す図である。
【００１１】
以下の説明において、図中の＋ｚ軸方向は硬貨処理装置１０００の鉛直上向きに対応し、＋ｙ軸方向は硬貨処理装置１０００の正面側から背面側に向かう向きに対応し、＋ｘ軸方向は硬貨処理装置１０００を正面から見たときに左側から右側に向かう向きに対応するものとする。
【００１２】
図１に例示されるように、硬貨処理装置１０００は、筐体１００内に硬貨投入口１０１と硬貨選別部１１０とカセットチューブ２００とが収容されるとともに、ケーブル１２０を有して構成されている。
【００１３】
ケーブル１２０は、硬貨処理装置１０００が設置される自動販売機（不図示）の各種制御回路や電源等と、硬貨処理装置１０００とを接続するための接続部である。
【００１４】
硬貨選別部１１０は、硬貨投入口１０１に投入された硬貨Ｃの真偽を判別するとともに、硬貨Ｃを種類別に分類する装置である。
【００１５】
カセットチューブ２００は、硬貨選別部１１０により種類別に分類された硬貨Ｃを種類別に収納しておく装置である。
【００１６】
図２に例示されるように、硬貨処理装置１０００は、筐体１００の上面側に硬貨投入口１０１を備え、硬貨投入口１０１の下部において、硬貨Ｃの投入を検出するとともにその種類や真偽等を判別する硬貨検出部１０２、判別の結果に基づいて受け入れた硬貨Ｃを金種別に振り分けるゲート１１１、１１２、１１３、１１４、振り分けた硬貨Ｃを釣銭硬貨として金種別に収納するカセットチューブ２００等を備えている。
【００１７】
またカセットチューブ２００は、釣銭硬貨としての硬貨Ｃの満杯の有無を検出する満杯センサ１０３や、釣銭硬貨としての硬貨Ｃの有無を検出する釣銭センサ１０４、硬貨Ｃを釣銭として払出すための所定の払出し手段（不図示）等を備えている。
【００１８】
図２の点線の矢印で示されるように、硬貨投入口１０１から投入された硬貨Ｃは、硬貨検出部１０２で検出されるとともに所定の判別が行なわれた後、この判別結果に応じてゲート１１１、１１２、１１３、１１４によって金種別に振り分けられて、カセットチューブ２００に収納されるようになっている。
【００１９】
そしてこのカセットチューブ２００内に貯蔵される硬貨Ｃは、定期的にルートマン等の保守員により回収あるいは補充される。保守員は、自動販売機のメンテナンス時に、カセットチューブ２００を硬貨処理装置１０００から取り外し、カセットチューブ２００内の硬貨Ｃが規定の枚数あるいは金額になるように、各種類の硬貨Ｃを補充あるいは回収する。
【００２０】
カセットチューブ２００の外観構成例を図３に示す。またカセットチューブ２００の内部構成例を図４に示す。
【００２１】
カセットチューブ２００は、硬貨Ｃの種類に応じた内径を有する複数の円筒（コインチューブ）を有している。図４に示す例では、カセットチューブ２００は、５００円硬貨用チューブ２０１と、１００円硬貨用チューブ２０２と、１０円硬貨用チューブ２０３と、５０円硬貨用チューブ２０４と、予備チューブ２０５とを有している。
【００２２】
また図４に示すように、カセットチューブ２００はベース２１０とカバー２２０とを有して構成される。ベース２１０とカバー２２０とは開閉可能に構成されている。図４は、カバー２２０を開いた状態を示す。
【００２３】
ベース２１０は、硬貨Ｃが収納される円筒の一部を形成する半円筒面が、硬貨Ｃの種類毎に複数形成されている。またカバー２２０は、硬貨Ｃが収納される円筒の他の一部を形成する半円筒面が、硬貨Ｃの種類毎に形成されている。
【００２４】
そしてベース２１０とカバー２２０とを閉じてそれぞれの半円筒面を合体することにより、硬貨Ｃが収納される円筒が形成される。
【００２５】
＜第１実施形態＞
＝＝＝硬貨収納装置の構成＝＝＝
以下、図５ないし図８を参照して、本発明の第１の実施形態における硬貨収納装置の構成について説明する。なお、本実施形態の硬貨収納装置は、カセットチューブ２００およびレバー５００（押圧部材）からなる。
【００２６】
図５は、カセットチューブ２００にレバー５００を取り付けた状態を示し、図６は、レバー５００の構成の詳細を示している。また、図７および図８は、それぞれレバー５００を図６におけるｋ軸方向およびｉ軸方向から見た図である。
【００２７】
図５に示すように、カセットチューブ２００のカバー２２０側（硬貨処理装置１０００の背面側）には、各コインチューブのｚ軸方向（硬貨の板厚方向）にスリット状に形成された開孔部５２０、および各コインチューブ間に開孔部５２０と平行に形成された係合溝５１０が設けられている。なお、係合溝５１０および開孔部５２０は、各コインチューブに対応して設けられるが、図５においては、１つのコインチューブについてのみ示されている。
【００２８】
図６ないし図８に示すように、レバー５００は、ボディ部５０１（本体）、弾性部５０２、係合部５０３、および押圧部５０４を有し、プラスチック等の樹脂で形成されている。弾性部５０２は、荷重を加えることでボディ部５０１とは独立して−ｊ軸方向に動作するように形成され、その先端に押圧部５０４が形成されている。また、ボディ部５０１の−ｊ軸方向（弾性部５０２への荷重の方向）側に係合部５０３が形成されている。
【００２９】
レバー５００は、図６における＋ｉ軸方向、＋ｊ軸方向、＋ｋ軸方向が、それぞれ図５における＋ｘ軸方向、＋ｙ軸方向、＋ｚ軸方向と一致するように、係合部５０３が係合溝５１０に係合してカセットチューブ２００（カバー２２０）に取り付けられる。
【００３０】
レバー５００がカバー２２０に取り付けられると、係合溝５１０は、レールとして機能し、係合部５０３が係合した状態でレバー５００をｚ軸方向にスライドさせることができる。ここで、開孔部５２０は、レバー５００をカバー２２０に取り付けた状態でｚ軸方向にスライドさせた場合の押圧部５０４（弾性部５０２の先端）の移動範囲に対応して形成されている。
【００３１】
＝＝＝硬貨収納装置の作用＝＝＝
以下、図９ないし図１２を適宜参照して、本実施形態における硬貨収納装置の作用について説明する。
【００３２】
図９は、係合部５０３を係合溝５１０に係合させてレバー５００をカセットチューブ２００（カバー２２０）に取り付け、弾性部５０２に荷重を加えていない待機状態において、カセットチューブ２００をレバー５００の押圧部５０４の位置で切断した水平断面図である。一方、図１０は、弾性部５０２に指等で荷重を加えて−ｙ軸方向（−ｊ軸方向）に動作させた動作状態において、カセットチューブ２００を押圧部５０４の位置で切断した水平断面図である。
【００３３】
また、図１１は、待機状態において、カセットチューブ２００を押圧部５０４の位置で切断した垂直断面図である。一方、図１２は、動作状態、特に押圧部５０４でコインチューブ内の硬貨を押圧して保持した硬貨保持状態において、カセットチューブ２００を押圧部５０４の位置で切断した垂直断面図である。
【００３４】
図９に示すように、待機状態では、押圧部５０４（弾性部５０２の先端）はコインチューブの内径より外側にある。そのため、図１１に示すように、コインチューブ内の硬貨Ｃは、押圧部５０４で押圧されず、保持されない。したがって、この状態でコインチューブを傾斜させると、コインチューブ内の硬貨Ｃがすべて回収される。
【００３５】
一方、図１０に示すように、動作状態では、弾性部５０２が−ｙ軸方向に動作することによって、押圧部５０４がスリット状の開孔部５２０を介してコインチューブの内径より内側に進入する。そのため、図１２に示すように、コインチューブ内の硬貨Ｃは、押圧部５０４によって、コインチューブの押圧部５０４とは反対側の内壁に押圧されて保持される。したがって、この状態でコインチューブを傾斜させると、押圧部５０４の位置より上にある硬貨Ｃ１は回収されるものの、押圧部５０４の位置以下の硬貨Ｃ２はコインチューブ内に残される。なお、弾性部５０２に加えられる荷重のばらつきを吸収するため、押圧部５０４をシリコンゴム等の弾性体で形成してもよい。
【００３６】
このようにして、レバー５００の弾性部５０２に荷重を加え、開孔部５２０を介して押圧部５０４で硬貨Ｃをコインチューブの内壁に押圧して保持することによって、押圧部５０４の位置以下の所定枚数の硬貨Ｃ２を残して、余剰硬貨Ｃ１を回収することができる。また、弾性部５０２は、弾性力によって＋ｙ軸方向に付勢されており、指等を離して荷重が加えられなくなると、押圧部５０４がコインチューブの内径より外側に退出して、レバー５００は再び待機状態となる。したがって、各コインチューブの回収後は、カセットチューブ２００をそのまま硬貨処理装置１０００に戻すことができる。
【００３７】
ここで、レバー５００は、レールとして機能する係合溝５１０に沿って、ｚ軸方向に移動することができる。そのため、レバー５００をスライドさせてｚ軸方向の位置を変更することによって、カセットチューブ内の硬貨の保持枚数を容易に変更することができる。また、硬貨の保持枚数は、レバー５００のｚ軸方向の位置に応じて任意に設定することができる。
【００３８】
＜第２実施形態＞
＝＝＝硬貨収納装置の構成＝＝＝
以下、図１３および図１４を参照して、本発明の第２の実施形態における硬貨収納装置の構成について説明する。なお、本実施形態の硬貨収納装置は、カセットチューブ２００およびレバー６００（押圧部材）からなる。
【００３９】
図１３は、カセットチューブ２００にレバー６００を取り付けた状態を示し、図１４は、レバー６００の構成の詳細を示している。
【００４０】
図１３に示すように、カセットチューブ２００のカバー２２０側には、各コインチューブのｚ軸方向に複数形成された開孔部６２０、および開孔部６２０のｚ軸方向の位置に対応して各コインチューブ間に形成された係合溝６１０が設けられている。なお、係合溝６１０および開孔部６２０は、各コインチューブに対応して設けられるが、図１３においては、２つのコインチューブについてのみ示されている。
【００４１】
図１４に示すように、レバー６００は、ボディ部６０１（本体）、弾性部６０２、係合部６０３、および押圧部６０４を有し、プラスチック等の樹脂で形成されている。弾性部６０２は、その先端がボディ部６０１より−ｊ軸方向に位置するように、ボディ部６０１からｋ軸方向の両側（＋ｋ軸方向および−ｋ軸方向）に弓形に延びるように形成されている。また、ボディ部６０１の−ｊ軸方向側には、両側の弾性部６０２の中間点付近から延びる係合部６０３が形成され、係合部６０３より−ｉ軸方向の位置に押圧部６０４が形成されている。
【００４２】
レバー６００は、図１４における＋ｉ軸方向、＋ｊ軸方向、＋ｋ軸方向が、それぞれ図１３における＋ｘ軸方向、＋ｙ軸方向、＋ｚ軸方向と一致するように、係合部６０３が係合溝６１０に係合してカセットチューブ２００（カバー２２０）に取り付けられる。なお、レバー６００の係合部６０３は、各係合溝６１０に対して着脱可能に係合する。
【００４３】
レバー６００がカバー２２０に取り付けられると、弾性部６０２の先端がカバー２２０に当接し、弾性部６０２は、レバー６００全体を＋ｙ軸方向（カバー２２０から離れる方向）に付勢する。ここで、開孔部６２０は、レバー６００の係合部６０３を各係合溝６１０に係合させた状態での押圧部６０４の位置に対応して形成されている。
【００４４】
＝＝＝硬貨収納装置の作用＝＝＝
以下、図１５ないし図１７を適宜参照して、本実施形態における硬貨収納装置の作用について説明する。なお、本実施形態では、ボディ部６０１に荷重が加えられる。
【００４５】
図１５ないし図１７は、係合部６０３を何れかの係合溝６１０に係合させた状態を示している。図１５は、ボディ部６０１に荷重を加えていない待機状態において、カセットチューブ２００をレバー６００の押圧部６０４の位置で切断した水平断面図である。一方、図１６は、ボディ部６０１に指等で荷重を加えて、レバー６００全体を−ｙ軸方向（−ｊ軸方向）に動作させた動作状態において、カセットチューブ２００を押圧部６０４の位置で切断した水平断面図である。また、図１７は、動作状態、特に押圧部６０４でコインチューブ内の硬貨を押圧して保持した硬貨保持状態において、カセットチューブ２００を押圧部６０４の位置で切断した水平断面図である。
【００４６】
図１５に示すように、待機状態では、弾性部６０２によってレバー６００全体が＋ｙ軸方向に付勢され、第１実施形態と同様に、押圧部６０４はコインチューブの内径より外側にある。
【００４７】
一方、図１６に示すように、動作状態では、レバー６００全体が−ｙ軸方向に動作することによって、押圧部６０４が開孔部６２０を介してコインチューブの内径より内側に進入する。そのため、図１７に示すように、コインチューブ内の硬貨Ｃは、押圧部６０４によって、コインチューブの押圧部６０４とは反対側の内壁に押圧されて保持される。したがって、この状態でコインチューブを傾斜させると、押圧部６０４の位置より上にある硬貨は回収されるものの、押圧部６０４の位置以下の硬貨はコインチューブ内に残される。
【００４８】
このようにして、レバー６００のボディ部６０１に荷重を加え、開孔部６２０を介して押圧部６０４で硬貨Ｃをコインチューブの内壁に押圧して保持することによって、押圧部６０４の位置以下の所定枚数の硬貨を残して、余剰硬貨を回収することができる。また、弾性部６０２の弾性力によってレバー６００全体が＋ｙ軸方向に付勢されており、指等を離して荷重が加えられなくなると、押圧部６０４がコインチューブの内径より外側に退出して、レバー６００は再び待機状態となる。したがって、各コインチューブの回収後は、カセットチューブ２００をそのまま硬貨処理装置１０００に戻すことができる。
【００４９】
ここで、レバー６００の係合部６０３は、各係合溝６１０に対して着脱可能に係合する。そのため、レバー６００を取り付ける位置（係合溝６１０）を変更することによって、カセットチューブ内の硬貨の保持枚数を容易に変更することができる。なお、本実施形態では、硬貨の保持枚数を任意に設定することはできないものの、新たな保持枚数の要求に対しては、カバー２２０に開孔部６２０および係合溝６１０を形成する位置の変更のみで対応することができ、レバー６００は共通に用いることができる。
【００５０】
前述したように、カセットチューブ２００およびレバー（５００，６００）からなる硬貨収納装置において、カバー２２０側に設けられた係合溝（５１０，６１０）に係合部（５０３，６０３）を係合させて、硬貨の板厚方向の位置を可変にレバー（５００，６００）をカセットチューブ２００に取り付け、レバー（５００，６００）に指等で荷重を加えて、弾性部（５０２，６０２）によってコインチューブの内径より外側に退出させるように付勢された押圧部（５０４，６０４）を、開孔部（５２０，６２０）を介してコインチューブの内径より内側に進入させることによって、硬貨をコインチューブの内壁に押圧して保持して、押圧部（５０４，６０４）の位置以下の所定枚数の硬貨を残しつつ、それより上にある余剰硬貨を回収することができる。そして、レバー（５００，６００）の硬貨の板厚方向の位置を変更することによって、カセットチューブ内の硬貨の保持枚数を容易に変更することができる。
【００５１】
また、カセットチューブ２００およびレバー６００からなる硬貨収納装置において、コインチューブごとに、硬貨の板厚方向に複数形成された開孔部６２０、および開孔部６２０の硬貨の板厚方向の位置に対応して複数形成された係合溝６１０を設け、レバー６００の係合部６０３を各係合溝６１０に対して着脱可能とすることによって、レバー６００を取り付ける位置（係合溝６１０）を変更して、カセットチューブ内の硬貨の保持枚数を容易に変更することができる。さらに、新たな保持枚数の要求に対しては、カバー２２０に開孔部６２０および係合溝６１０を形成する位置の変更のみで対応することができ、レバー６００は共通に用いることができる。
【００５２】
また、レバー６００がカバー２２０に取り付けられた状態で先端がカバー２２０に当接するように、ボディ部６０１から硬貨の板厚方向の両側に延びる弓形に弾性部６０２を形成することによって、レバー６００全体がカバー２２０から離れる方向に付勢され、指等を離してボディ部６０１に荷重が加えられなくなると、押圧部６０４をコインチューブの内径より外側に退出させ、レバー６００を再び待機状態とすることができる。
【００５３】
また、カセットチューブ２００およびレバー５００からなる硬貨収納装置において、コインチューブごとに、硬貨の板厚方向にスリット状に形成された開孔部５２０、および開孔部５２０と平行に形成された係合溝５１０を設け、係合部５０３を係合溝５１０に係合させた状態でレバー５００を係合溝５１０に沿ってスライド可能とすることによって、レバー５００をスライドさせて硬貨の板厚方向の位置を変更して、カセットチューブ内の硬貨の保持枚数を容易に変更することができる。さらに、硬貨の保持枚数は、レバー５００の硬貨の板厚方向の位置に応じて任意に設定することができる。
【００５４】
また、荷重を加えることでボディ部５０１とは独立して動作するように弾性部５０２を形成し、弾性部５０２の先端に押圧部５０４を形成することによって、レバー５００がカバー２２０に取り付けられた状態で、弾性部５０２に指等で荷重を加えて、スリット状の開孔部５２０を介して押圧部５０４をコインチューブの内径より内側に進入させるとともに、指等を離して弾性部５０２に荷重が加えられなくなると、弾性力によって押圧部５０４をコインチューブの内径より外側に退出させ、レバー５００を再び待機状態とすることができる。
【００５５】
また、前述したように、カセットチューブ２００とともに用いられるレバー６００において、カセットチューブ２００のカバー２２０側に開孔部６２０の硬貨の板厚方向の位置に対応して複数形成された係合溝６１０のそれぞれに対して係合部６０３を着脱可能とすることによって、レバー６００を取り付ける係合溝６１０を変更して、カセットチューブ内の硬貨の保持枚数を容易に変更することができる。さらに、新たな保持枚数の要求に対しても、レバー６００は共通に用いることができる。
【００５６】
また、前述したように、カセットチューブ２００およびレバー（５００，６００）からなる硬貨収納装置を自動販売機等の硬貨処理装置に用いることによって、自動販売機等の用途・場所等に応じて、カセットチューブ内の硬貨の保持枚数を容易に変更することができる。
【００５７】
なお、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【００５８】
１００          筐体
１０１          硬貨投入口
１０２          硬貨検出部
１０３          満杯センサ
１０４          釣銭センサ
１１０          硬貨選別部
１１１〜１１４  ゲート
１２０          ケーブル
２００          カセットチューブ
２０１          ５００円硬貨用チューブ
２０２          １００円硬貨用チューブ
２０３          １０円硬貨用チューブ
２０４          ５０円硬貨用チューブ
２０５          予備チューブ
２１０          ベース
２２０          カバー
５００、６００  レバー（押圧部材）
５０１、６０１  ボディ部（本体）
５０２、６０２  弾性部
５０３、６０３  係合部
５０４、６０４  押圧部
５１０、６１０  係合溝
５２０、６２０  開孔部
１０００        硬貨処理装置（コインメック）
Ｃ、Ｃ１、Ｃ２  硬貨
【図２】
0005870725.tif 000002
【図７】
0005870725.tif 000003
【図８】
0005870725.tif 000004
【図１】
0005870725.tif 000005
【図３】
0005870725.tif 000006
【図４】
0005870725.tif 000007
【図５】
0005870725.tif 000008
【図６】
0005870725.tif 000009
【図９】
0005870725.tif 000010
【図１０】
0005870725.tif 000011
【図１１】
0005870725.tif 000012
【図１２】
0005870725.tif 000013
【図１３】
0005870725.tif 000014
【図１４】
0005870725.tif 000015
【図１５】
0005870725.tif 000016
【図１６】
0005870725.tif 000017
【図１７】
0005870725.tif 000018